(57)【要約】【課題】ゴルフボール等のボールを利用して手の平、肩、首筋、足裏等をマッサージするマッサージ具として使用するとともに、ゴルフボールやティー等を収納するケースとしても使用できるようにする。【解決手段】マッサージ具１００は、外表面に設けられた複数の円錐状の突起１１０を備え、ボールを挿入する空洞部を形成する開口縁１３１と、ボール２００を押し出すための押出孔１４０と、手の平で把持するための把持部１５０とから構成され、握ったときに丁度手の平に収まる形状となっている。把持部１５０には、指がずれないように把持溝１５１が形成されている。さらに、ティー３００を挿入することができるティー挿入口１６０が把持部１５０の先端部に設けられている。【選択図】      図２
0003121061.tif 000002
【実用新案登録請求の範囲】
【請求項１】
ボールを包囲し開口縁を有する包囲部と、
前記包囲部の外表面に設けられた多数の突起と、
前記包囲部に結合され、指にフィットするための溝が形成された把持部と
を備えたことを特徴とするマッサージ具。
【請求項２】
前記包囲部は伸縮可能な部材によって形成され、
前記開口縁は前記ボールの直径より小さい直径を有し、前記包囲部の内壁で形成される空洞部に挿入された前記ボールが外部に飛び出さないように保持することを特徴とする請求項１に記載のマッサージ具。
【請求項３】
さらに、前記包囲部の一部にボールを押し出すための押出孔を備えることを特徴とする請求項２に記載のマッサージ具。
【請求項４】
前記把持部には、前面以外の部分に突起が配置されることを特徴とする請求項１に記載のマッサージ具。
【請求項５】
前記突起は、全てその径、高さが同じに形成されることを特徴とする請求項１または４に記載のマッサージ具。
【請求項６】
前記突起は、その径、高さがランダムに形成されることを特徴とする請求項１または４に記載のマッサージ具。
【請求項７】
前記突起の取り付け位置はランダムに配置されることを特徴とする請求項５または６に記載のマッサージ具。
【請求項８】
前記把持部の先端には、ティーを挿入する挿入口をさらに備える
ことを特徴とする請求項１または４に記載のマッサージ具。
【考案の詳細な説明】
【技術分野】
【０００１】
本考案は、マッサージ具に関するもので、特に、ゴルフボール等のボールに被せることによって表面に形成された突起がマッサージ機能を有するマッサージ具に関する。また、本考案は、ゴルフボールやティーの収納ケースとしても機能する。
【背景技術】
【０００２】
従来より、ゴルフボールを用いて、その球形状、表面の凹凸形状、表面の硬度等の特性を生かして、筋肉をマッサージすることが行われている。しかしながら、ゴルフボールを手の中で転がしながらマッサージをすると、手の平とゴルフボールとの間の摩擦により、手が痛くなるという問題があった。
【０００３】
そこで、硬質素材で形成する短円柱状の本体の下面の中央部にゴルフボールの直径ほどの径と半径ほどの深さの孔を設け、その孔にゴルフボールの上半分を挿入して、そのゴルフボールの上半分を孔周縁で支持し、さらに、本体の外周縁にゴルフボールの下半分を抱持する所要数の突縁を設け、ゴルフボールを前後左右に、また、直線、曲線、円状に、全方向自由自在に転動させて転圧または押圧してマッサージすることができるようにしたものが提案されている（例えば、特許文献１参照）。
【特許文献１】実開平７−９３４４号公報
【考案の開示】
【考案が解決しようとする課題】
【０００４】
しかしながら、ゴルフボールの表面の凹凸を利用して押圧または転圧し、マッサージをするため、突起を押圧してマッサージをするものに比べてマッサージ効果が薄いという問題があった。
【０００５】
本考案は、上述の課題を鑑み、ゴルフボール等の球体（ボール）を包囲する包囲部の外表面に形成された突起がマッサージ機能を有するようになり、また、把持部に指にフィットする溝を設けて把持部を把持しやすくし、さらに、ゴルフボールやティーを収納するケースやホルダとしても機能するマッサージ具を提供することを目的とする。
【課題を解決するための手段】
【０００６】
上述の課題を解決するために、本考案に係るマッサージ具は、ボールを包囲し開口縁を有する包囲部と、前記包囲部の外表面に設けられた多数の突起と、前記包囲部に結合され、指にフィットするための溝が形成された把持部とを備えたことを特徴とする。
【０００７】
好ましくは、前記包囲部は伸縮可能な部材によって形成され、前記開口縁は前記ボールの直径より小さい直径を有し、前記包囲部の内壁で形成される空洞部に挿入された前記ボールが外部に飛び出さないように保持することを特徴とする。
【０００８】
好ましくは、さらに、包囲部の一部にボールを押し出すための押出孔を備えることを特徴とする。
【０００９】
好ましくは、把持部には、前面以外の部分に突起が配置されることを特徴とする。
【００１０】
好ましくは、突起は、全てその径、高さが同じに形成されることを特徴とする。
【００１１】
好ましくは、突起は、その径、高さはランダムに形成されることを特徴とする。
【００１２】
好ましくは、突起の取り付け位置はランダムに配置されることを特徴とする。
【００１３】
好ましくは、把持部の先端には、ティーを挿入する挿入口をさらに備えることを特徴とする。
【考案の効果】
【００１４】
本考案のマッサージ具によれば、ゴルフボール等の球体（ボール）を包囲する包囲部と、包囲部の外表面に形成される突起と、包囲部に結合され、指にフィットするための溝が形成された把持部とを備えることによって、マッサージ機能を有するとともに、ゴルフボールを収納するケースやホルダとしても機能するマッサージ具を提供することができる。
【００１５】
また、本考案によれば、包囲部は伸縮可能な部材によって形成され、前記開口縁は前記ボールの直径より小さい直径を有し、前記包囲部の内壁で形成される空洞部に挿入された前記ボールが外部に飛び出さないように保持するので、空洞部に挿入したボールが使用中に脱落することがない。
【００１６】
また、本考案によれば、さらに、包囲部の一部にボールを押し出すための押出孔を備えるので、空洞部に挿入したボールを容易に取り出すことができる。
【００１７】
また、本考案によれば、把持部には、前面以外の部分に突起が配置されるので、マッサージ効果を高めることができる。
【００１８】
また、本考案によれば、突起は、全てその径、高さが同じに形成されるので、均一にマッサージすることができる。
【００１９】
また、本考案によれば、突起は、その径、高さはランダムに形成されるので、押圧力に変化を付けてマッサージすることができる。
【００２０】
また、本考案によれば、突起の取り付け位置はランダムに配置されるので、ランダムな位置に押圧力を加えてマッサージすることができる。
【００２１】
また、本考案によれば、把持部の先端には、ティーを挿入する挿入口を設けたので、
ゴルフボールのみならず、ティーも収納することができる。
【考案を実施するための最良の形態】
【００２２】
以下、本考案の実施形態について図面を参照しながら説明する。図１は、本考案の実施の形態としてのマッサージ具１００の正面図を示している。図１に示すように、マッサージ具１００は、包囲部１３２の外表面に形成された複数の円錐状の突起１１０を有し、ゴルフボール等のボール２００（図２）を挿入するための円形の開口部１３０を有する空洞部１２０と、ボール２００を押し出すために背面に設けられた押出孔１４０と、包囲部１３２に結合された把持部１５０とから構成され、握ったときに指にフィットする形状となっている。
【００２３】
開口部１３０は、その開口縁１３１の直径が、空洞部１２０に入るボール２００の直径よりも小さくなるように形成され、ボール２００を空洞部１２０に挿入した後、ボール２００が空洞部１２０から容易に脱落することがないようになっている。即ち、マッサージ具１００の包囲部１３２または少なくとも開口部１３０の開口縁１３１は、ボール２００を空洞部１２０に出し入れ可能なように伸縮可能なゴム等の素材により構成されている。
【００２４】
また、把持部１５０の先端部には、ゴルフに用いるティー３００を挿入するためのティー挿入口１６０が形成されており、ティー３００を把持部１５０の中に収納することができるようになっている。
【００２５】
図２は、本考案の実施の形態としてのマッサージ具１００を斜め前から見た図であり、マッサージ具１００の空洞部１２０にゴルフボール等のボール２００を挿入した状態を示している。図２に示したように、マッサージ具１００の側面の表面にも多数の円錐状の突起１１０が形成されている。この突起１１０によって手の平がマッサージされる。把持部１５０は、マッサージ具１００を手の平にしっかりと把持するために形成されているものである。また、把持部１５０には、把持したときに人差し指、中指、および薬指等の３本の指がずれないように、また溝状の把持溝１５１が各指にフィットするように設けられている。
【００２６】
さらに、把持部１５０の先端部には、ゴルフに用いるティー３００を挿入するためのティー挿入口１６０が形成されており、ティー３００を把持部１５０の中に収納することができるようになっている。
【００２７】
図３は、本考案の実施の形態としてのマッサージ具１００の背面図を示している。図３に示すように、マッサージ具１００の背面には、空洞部１２０に挿入したボール２００を空洞部１２０から開口部１３０の外に押し出すための押出孔１４０が設けられている。また、マッサージ具１００の背面側の外表面にも多数の円錐状の突起１１０が形成されている。
【００２８】
図４は、本考案の実施の形態としてのマッサージ具１００を斜め後方から見た斜視図を示している。図４に示すように、マッサージ具１００の外表面には多数の円錐状の突起１１０が形成され、空洞部１２０に挿入したボール２００を外に押し出すための押出孔１４０が設けられている。また、把持部１５０はマッサージ具１００を手の平でしっかりと把持する役割を有する。
【００２９】
また、把持部１５０の先端部には、ティー挿入口１６０が形成されており、ゴルフに用いるティー３００を把持部１５０の中に収納することができるようになっている。
【００３０】
図５は、マッサージ具１００を手の平に把持した状態を示している。このように、マッサージ具１００は、手の平にしっかりと収まる形状となっている。マッサージ具１００を図５に示すように把持してゴルフボール等のボール２００を肩、腕、首筋、足裏等に押し当てたり、たたいたりしてマッサージすることもできる。このとき、把持部１５０に形成された把持溝１５１に指をフィットさせてマッサージ具１００を把持することにより、マッサージ中に力を加えても指が把持部１５０からずれることがない。なお、図５は右手の手の平にマッサージ具１００を把持した状態を示しているが、マッサージ具１００の形状はそのままで、またはその形状を少し変えるだけで左手の手の平に把持することができる。
【００３１】
また、マッサージ具１００の突起１１０を肩に押し当ててマッサージすることもできる。このように、ボール２００が手の平に接するように把持して突起１１０を肩、腕、首筋、足裏等に押し当てたり、たたいたりして突起１１０によりマッサージすることも可能である。
【００３２】
図６は、マッサージ具１００を手の平に把持した状態を上側から見たときの図である。図６に示すように、マッサージ具１００の上部にも多数の突起１１０が形成されているので、マッサージ具１００を把持したときに親指を刺激してマッサージすることができる。
【００３３】
マッサージ具１００の素材としては、上述したゴムの他、伸縮可能な樹脂とすることもできる。あるいは、木材等の硬質素材により形成することもできるが、その場合、開口縁１３１から空洞部１２０にボール２００を挿入することができるように、開口縁１３１の周辺部分を伸縮可能な材質で形成し、その開口縁１３１の直径をボール２００の直径より小さくする必要がある。
【００３４】
また、突起１１０は、それぞれ同一の大きさとすることもできるし、大小異なる大きさのものとすることもできる。また、円錐状の突起１１０の尖りにも緩急を付け、メリハリのあるものとすることができる。また、大きさや形状の異なる突起１１０をそれぞれランダムな位置に配置することができる。また、突起１１０の形状は、円錐形に限らず、半円や三角錐、四角錐等の他の形状とすることもできる。
【００３５】
また、ゴルフで使用するティーを収容するために、ティー挿入口１６０が把持部１５０の先端部に設けられているので、ゴルフボールとともにティーもマッサージ具１００に収納することできる。
【００３６】
以上説明したように、マッサージ具１００は、ボール２００を挿入するだけで手軽に手の指を刺激したり、肩、首筋、腕、足裏等をマッサージしたりすることができ、リラックス効果を得ることができる。その際、突起１１０が手の平、手の指先、肩、首筋、足裏等に程よい刺激を与える。また、マッサージ具１００で肩、首筋、腕、足裏等を押したり、たたいたりすることもできる。
【００３７】
また、このマッサージ具１００はゴルフボールほどの大きさであるから、上着やズボン等のポケットに入れて容易に携帯することができる。また、ゴルフボールおよびティーを収納するケースまたはホルダとして使用することも可能である。
【００３８】
なお、本考案は、上述した実施形態に限定されるものではなく、この考案の要旨を逸脱しない範囲内で様々な変形や応用が可能である。
【産業上の利用可能性】
【００３９】
本考案は、ゴルフボールを挿入して手の平等をマッサージをするマッサージ具として利用可能である。
【図面の簡単な説明】
【００４０】
【図１】本考案の実施の形態のマッサージ具の正面図である。
【図２】本考案の実施の形態のマッサージ具の側面図である。
【図３】本考案の実施の形態のマッサージ具の背面図である。
【図４】本考案の実施の形態のマッサージ具を斜め後方から見たときの斜視図である。
【図５】本考案の実施の形態のマッサージ具を手の平に把持した状態を示す図である。
【図６】本考案の実施の形態のマッサージ具を手の平に把持した状態を背面から見た図である。
【符号の説明】
【００４１】
１００  マッサージ具
１１０  突起
１２０  空洞部
１３０  開口部
１３１  開口縁
１３２  包囲部
１４０  押出孔
１５０  把持部
１５１  把持溝
１６０  ティー挿入口
【図１】
0003121061.tif 000003
【図２】
0003121061.tif 000004
【図３】
0003121061.tif 000005
【図４】
0003121061.tif 000006
【図５】
0003121061.tif 000007
【図６】
0003121061.tif 000008